(57)【特許請求の範囲】
【請求項１】
記録紙を給紙する給紙手段と、前記給紙手段の上に設けられ、前記給紙手段から給紙された記録紙に画像を形成する作像手段と、前記作像手段の上に設けられ、前記作像手段によって画像が形成された記録紙を排紙する排紙手段と、前記排紙手段から排紙された記録紙を積載する排紙トレーと、装置本体の側面に沿った方向で前記給紙手段から給紙された記録紙を前記作像手段を介して前記排紙手段にガイドする搬送経路と、前記作像手段によって画像が形成された記録紙の面を反転して前記作像手段に再給紙する再給紙路と、作像時の設定条件に応じて前記搬送経路を排紙方向から前記再給紙路に切り換える切換部とを備えた画像形成装置において、
前記再給紙路を前記搬送経路より前記装置本体の側面側に設け、前記搬送経路を開放させる第１の開閉部と、前記再給紙路を開閉させる第２の開閉部とを有し、前記第１，第２の開閉部を前記装置本体の側面側に、同一方向に上側から開閉可能に設け、記録紙を装填するための給紙トレーと、前記給紙トレーに装填された記録紙を分離給紙する分離給紙手段とを前記装置本体の側面側に有し、前記分離給紙手段を前記搬送経路より前記装置本体の側面側で、かつ、前記再給紙路の下に設けたことを特徴とする画像形成装置。
【請求項２】
前記第２の開閉部の開閉支点は、前記第１の開閉部に設けられていることを特徴とする請求項１記載の画像形成装置。
【請求項３】
前記再給紙路を前記第１の開閉部の内部に開閉可能に設けたことを特徴とする請求項２記載の画像形成装置。
【請求項４】
前記第１の開閉部を開放することにより前記第２の開閉部が開放されることを特徴とする請求項２又は３記載の画像形成装置。
【請求項５】
前記給紙トレーは、前記装置本体の側面に沿った方向で上方に起立した格納位置と、記録紙が装填可能な開閉位置とに移動可能であることを特徴とする請求項１〜４のいずれか１項記載の画像形成装置。
【請求項６】
前記給紙トレーを第１の開閉部に設けたことを特徴とする請求項５記載の画像形成装置。
【請求項７】
原稿を走査する読み取り手段を前記排紙トレーの上に設けたことを特徴とする請求項１〜６のいずれか１項記載の画像形成装置。
【発明の詳細な説明】
【０００１】
【発明の属する技術分野】
本発明は、複写機，プリンタ，ファクシミリ等の画像形成装置及び、複数種類の画像形成装置が１台に組み合わせた複合型の画像形成装置に関する。
【０００２】
【従来の技術】
従来のファクシミリ装置には、給紙トレーに装填された原稿を分離給紙する給紙手段と、この給紙手段によって分離給紙された原稿を搬送しながら原稿の画像を読み取る読取手段と、画像情報に応じて記録紙に画像を形成する作像手段と、この作像手段によって画像が形成された記録紙を画像面を下にして排紙する排紙手段、あるいは画像面を上にして排紙トレーに排紙する排紙手段とを備えたものがある。
【０００３】
【発明が解決しようとする課題】
上記したような従来のファクシミリ装置には、次のような問題がある。
【０００４】
▲１▼  排紙トレーや給紙トレーがそれぞれ装置キャビネットから突出するため、装置を設置するために広い設置スペースが必要になり、特に、排紙トレーと給紙トレーとが装置キャビネットの異なる面から突出している場合には、排紙トレーと給紙トレーとが突出した少なくとも２つの面を壁際に寄せることができないので、オフィス等における設置スペースの使用効率が低下してしまう。
【０００５】
▲２▼  装置キャビネットの外装パネル等には、通常、ジャムした記録紙や消耗部品を交換するための開閉部が設けられているが、この開閉部を開放可能にするため、開放された開閉部が突出するスペースも確保しておかなければならない。
【０００６】
▲３▼  画像面を下方にして排紙する排紙手段は、読取手段によって原稿の１頁目から順に読み取った画像を記録紙に再生する場合には、頁順が揃った状態で記録紙が排紙トレー上に積層されるので便利であるが、原稿の最終頁から給紙を開始するオートフィーダを用いた場合には、頁順が逆になった状態で排紙トレー上に記録紙が積層されてしまう。また、使用状況によっては、排紙された記録紙に形成された画像を確認しながら次の画像形成を開始したい場合もあり、この場合には、画像面を下方にして排紙する排紙手段は不便である。
【０００７】
▲４▼  また、画像面を上方にして排紙する排紙手段は、原稿の最終頁から給紙を開始するオートフィーダを用いた場合には、頁順が揃った状態で排紙トレー上に記録紙が積層されるので便利であるが、読取手段によって原稿の１頁目から順に読み取った画像を記録紙に再生する場合には、頁順が逆になった状態で排紙トレー上に記録紙が積層されてしまう。また、使用状況によっては記録紙に形成された画像内容を第三者に見られたくない場合もあり、この場合には、画像面を上方にして排紙する排紙手段は、排紙トレー上で画像が第三者によって見られてしまうおそれがある。
【０００８】
本発明の目的は、上記の課題において特に、開放された開閉部が突出するスペースを確保可能な画像形成装置を提供することにある。
【０００９】
【課題を解決するための手段】
上記の課題を解決するため、本発明の第１の手段は、記録紙を給紙する給紙手段と、前記給紙手段の上に設けられ、前記給紙手段から給紙された記録紙に画像を形成する作像手段と、前記作像手段の上に設けられ、前記作像手段によって画像が形成された記録紙を排紙する排紙手段と、前記排紙手段から排紙された記録紙を積載する排紙トレーと、装置本体の側面に沿った方向で前記給紙手段から給紙された記録紙を前記作像手段を介して前記排紙手段にガイドする搬送経路と、前記作像手段によって画像が形成された記録紙の面を反転して前記作像手段に再給紙する再給紙路と、作像時の設定条件に応じて前記搬送経路を排紙方向から前記再給紙路に切り換える切換部とを備えた画像形成装置において、前記再給紙路を前記搬送経路より前記装置本体の側面側に設け、前記搬送経路を開放させる第１の開閉部と、前記再給紙路を開閉させる第２の開閉部とを有し、前記第１，第２の開閉部を前記装置本体の側面側に、同一方向に上側から開閉可能に設け、記録紙を装填するための給紙トレーと、前記給紙トレーに装填された記録紙を分離給紙する分離給紙手段とを前記装置本体の側面側に有し、前記分離給紙手段を前記搬送経路より前記装置本体の側面側で、かつ、前記再給紙路の下に設けたことを特徴とする。このように構成したことにより、第１，第２の開閉部が装置本体の側面側に設けられ、同一方向に上側から開閉可能に支持されていることにより、ジャムした記録紙の除去や消耗部品の交換が容易になる。また、装置全体が大きくなることなく、しかも、簡単な構成で給紙トレーからの分離給紙を行うことができる。
【００１０】
さらに、第２の手段は、前記第２の開放部の開閉支点は、前記第１の開閉部に設けられていることを特徴とする。
【００１１】
さらに、第３の手段は、前記再給紙路を前記第１の開閉部の内部に開閉可能に設けたことを特徴とする。
【００１２】
さらに、第４の手段は、前記第１の開閉部を開放することにより前記第２の開閉部が開放されることを特徴とする。
【００１３】
さらに、第５の手段は、前記給紙トレーは、前記装置本体の側面に沿った方向で上方に起立した格納位置と、記録紙が装填可能な開閉位置とに移動可能であることを特徴とする。
【００１４】
さらに、第６の手段は、前記給紙トレーを第１の開閉部に設けたことを特徴とする。
【００１５】
さらに、第７の手段は、原稿を走査する読み取り手段を前記排紙トレーの上に設けたことを特徴とする。
【００１６】
【発明の実施の形態】
以下、本発明の実施例を図面に基づいて説明する。
【００１７】
図１は本発明の画像形成装置の一実施例の構成図、図２は本実施例の画像形成装置の斜視図である。本実施例の複写機は、装置キャビネット１の上部に配置され原稿Ｄを走査する読取手段と、装置キャビネット１で読取手段の下方に配置され画像情報に基づいて記録紙Ｐに画像を形成する作像手段と、装置キャビネット１で読取手段と作像手段との間に配置され、作像手段によって画像が形成された記録紙Ｐを排紙する排紙手段と、作像手段に記録紙Ｐを給紙する給紙手段とを備えている。
【００１８】
作像手段において、１１は感光体ドラム、１２は感光体ドラム１１を均一に帯電する帯電器、１３は、感光体ドラム１１を画像情報に対応するレーザ光Ｌによって走査し、感光体ドラム１１に静電潜像を形成するレーザ光学系、１４は感光体ドラム１１の静電潜像をトナー像に現像する現像器、１５は記録紙Ｐに感光体ドラム１１上のトナー像を転写する転写器、１６は転写完了後に感光体ドラム１１に残留したトナーを除去回収するクリーニング器、１７は記録紙Ｐに転写されたトナー像を定着する定着器である。
【００１９】
給紙手段において、２１は給紙カセットであり、２台の給紙カセット２１は、装置キャビネット１で上下２箇所に設けられた装着位置にそれぞれ装着され、この装着位置から図２に示す矢印Ａ方向に抜き取ることができる。２２は給紙カセット２１に装填された記録紙Ｐを上方に付勢する付勢板、２３は記録紙Ｐの給紙側先端部を掛止する分離爪、２４は半月形の給紙コロであり、給紙コロ２４が１回転することにより、給紙カセット２１内の最上部の記録紙Ｐが分離爪２３によって重送を防止されながら分離給紙される。２５はガイド板及びローラによって構成された給紙路、２６はレジストローラ対であり、給紙路２５は、給紙コロ２４によって分離給紙された記録紙Ｐをレジストローラ対２６に搬送する。
【００２０】
また、27は実線で示す格納位置及び２点鎖線で示す開放位置に開閉可能に構成された給紙トレー、28は給紙ローラ、29は分離パッドである。給紙トレー27と分離パッド29は、図１からも明らかなように、装置キャビネット１の側面側に設けられ、分離パッド29はレジストローラ対26から作像手段を通って排紙手段に記録紙Ｐを搬送する経路に対して装置キャビネット１の側面側で、再給紙路(後述する)の下に設けられている。開放位置にある給紙トレー27には記録紙Ｐが装填可能であり、給紙トレー27を開放位置にすることにより、給紙トレー27に装填された記録紙Ｐが作像手段に給紙される。給紙トレー27の記録紙Ｐは、給紙ローラ28が回転することにより分離パッド29によって重送が防止されながらレジストローラ対26に搬送される。ここで、レジストローラ対26は、給紙カセット21又は給紙トレー27から給紙された記録紙Ｐを感光体ドラム11のトナー像に同期させて搬送を開始する。
【００２１】
排紙手段において、３１は、ガイド板及びローラによって構成され、記録紙Ｐを排紙トレー３２に排紙する第２の排紙路、３３は記録紙Ｐの排紙方向を切り換える切換爪、３４は、切換爪３３が実線の位置にある場合に第２の排紙路３１に記録紙Ｐを給紙し、また切換爪３３が２点鎖線の位置にある場合に、第１の排紙路を構成して排紙トレー３５に記録紙Ｐを排紙する排紙ローラである。第２の排紙路３１は、画像が形成された画像面を上方にして記録紙Ｐを排紙トレー３２上に排紙し、また排紙ローラ３４は、切換爪３３が２点鎖線の位置にある場合に画像面を下方にして記録紙Ｐを排紙トレー３５上に排紙する。
【００２２】
また、３６は、一方の面に画像が形成された記録紙Ｐの他方の面に画像を形成するため、面を反転して記録紙Ｐをレジストローラ対２６に搬送する再給紙路、３７は切換爪である。再給紙路３６および第１の搬送路は装置キャビネット１の側面に沿って縦方向に記録紙をガイドするように配置されている。記録紙Ｐの一方の面にのみ画像を形成する場合には、切換爪３７は実線の位置に移動し、また記録紙Ｐの両面に画像を形成する場合には、一方の面に画像が形成された記録紙Ｐを第２の排紙路３１から逆方向に搬送するとともに、切換爪３７を２点鎖線の位置に移動する。このことにより、記録紙Ｐは再給紙路３６によってレジストローラ対２６に搬送され、他方の面に画像が形成された後に排紙トレー３２又は排紙トレー３５に排紙される。
【００２３】
前記排紙トレー３２は、実線で示す収納位置及び２点鎖線で示す延長位置に移動可能な延長板３２ａを備え、この延長板３２ａを収納位置にすることにより排紙トレー３２が装置キャビネット１の水平投影面内に略収納され、また延長板３２ａを延長位置にすることにより、排紙トレー３２が装置キャビネット１から突出する位置にまで延長されてトレーの面積を拡大することができる。ここで、延長位置にある延長板３２ａは、装置キャビネット１において開放位置にある給紙トレー２７と同一面から突出するように配置されている。また、排紙トレー３５は、装置全体の水平投影面積を増加させないように、装置キャビネット１内に配置されている。
【００２４】
読取手段において、４１は画像を読み取る原稿Ｄが装填される原稿トレー、４２は原稿トレー４１に装填された原稿Ｄを上方に付勢する付勢板、４３は最上部の原稿Ｄに圧接する給紙ローラ、４４は分離ローラ対、４５は読取ローラ、４６は等倍光学系を備えた読取手段である密着型イメージセンサ、４７はガイド板及び読取ローラ４５に当接した従動ローラによって構成された読取ガイド路、４８は搬送ローラ対、４９は排紙ローラ対、５０は面を反転して原稿Ｄを読取ガイド路４７に再給紙する再給紙路、５１はガイド爪５１ａ及びこのガイド爪５１ａとともに並行移動するガイド爪５１ｂによって構成された切換ガイドである。原稿Ｄの一方の面だけを読み取る場合には、切換ガイド５１が実線の位置に固定され、原稿Ｄは排紙ローラ対４９によって排紙トレー５２上に排紙される。また、原稿Ｄの両面を読み取る場合には、原稿Ｄを切換ガイド５１から排紙ローラ対４９に排紙し、排紙ローラ対４９で一旦停止させた後に、切換ガイド５１を２点鎖線の位置に移動させて排紙ローラ対４９を逆転させる。このことにより、原稿Ｄは面が反転して再給紙路５０に給紙され、密着型イメージセンサ４６によって画像が読み取られた後に、搬送ローラ対４８，切換ガイド５１及び排紙ローラ対４９を通って排紙トレー５２に排紙される。
【００２５】
装置キャビネット１の内部にはケース１５０及びケース１６０が配置されており、ケース１５０には、電源１５１及びプリント板１５２等の電装・制御部が搭載され、ケース１６０には、コントローラボード１６１等が搭載されている。また、装置キャビネット１の外面には、図２に示すように入力キー，表示パネル等を備えた操作部１７０が配置されており、ユーザは、この操作部１７０を操作することにより、原稿Ｄの片面だけ、あるいは両面を読み取るか、記録紙Ｐの片面だけ、あるいは両面に画像を形成するかなどの作像条件を設定することができる。なお、操作部１７０は、装置キャビネット１における排紙トレー３５の上部でかつ装置キャビネット１外面の端部の一部に設けられているため、キャビネット１の内部が見え易くなっている。
【００２６】
本実施例の画像形成装置は、複写機，プリンタ及びスキャナの機能を有した複合型の画像形成装置として構成されている。この画像形成装置を複写機として使用する場合には、読取部で原稿Ｄの画像を読み取り、読取部からの画像情報に基づいて作像部で記録紙Ｐに画像を形成する。また、プリンタとして使用する場合には、外部のコンピュータ等からの画像情報に基づいて作像部が記録紙Ｐに画像を形成する。また、スキャナとして使用する場合には、読取部で読み取った画像を所定の形式の画像情報に変換して、外部のファイリング装置等に出力する。
【００２７】
図３は本実施例の画像形成装置における開閉カバーの構成図である。装置キャビネット１における給紙トレー２７の支持部付近は、メンテナンス用の開閉カバー６０として構成されており、開閉カバー６０は、装置キャビネット１によって支軸６１を中心として開閉可能に支持されている。図２の閉鎖位置にある開閉カバー６０を図３の開放位置に開くことにより、感光体ドラム１１付近における記録紙Ｐの搬送路及び再給紙路３６を開放して装置外部に露出させることができる。このため、開閉カバー６０を開けば、作像手段の構成部品である感光体ドラム１１，現像器１４等の消耗部品を容易に交換することができ、さらに給紙路２５や再給紙路３６や感光体ドラム１１付近でジャムした記録紙Ｐを容易に取り除くことができる。
【００２８】
また、開閉カバー６０は給紙トレー２７を開閉可能に支持しており、開放された開閉カバー６０は、開放位置にある給紙トレー２７と装置キャビネット１の同一面から突出するように構成されている。
【００２９】
以上説明した本実施例の画像形成装置によれば、排紙手段が、画像面を上方にして記録紙を排紙する第２の排紙路３１と、画像面を下方にして記録紙を排紙する第１の排紙路を構成し、かつ設定条件に応じて記録紙Ｐの搬送経路を第１の排紙路あるいは第２の排紙路３１のいずれかに切り換える切換爪３３とを備えたことにより、作像時の設定条件に応じて画像面を下方及び上方のいずれに向けても記録紙Ｐを排紙することが可能になる。このため、読取手段によって原稿の束を１頁目から順に読み取った画像を記録紙Ｐに再生する場合には、切換爪３３によって記録紙Ｐを頁順が揃った状態で排紙トレー３５上に積層でき、さらに、排紙トレー３２上に記録紙Ｐを排紙することにより、記録紙Ｐに形成された画像を確認しながら次の画像形成を開始でき、あるいは排紙トレー３５に記録紙Ｐを排紙することにより、記録紙Ｐの画像内容が第三者に見られることを防止できる。
【００３０】
さらに、排紙手段が、作像手段によって一方の面に画像が形成された記録紙Ｐの面を反転して作像手段に再給紙する再給紙路３６と、作像時の設定条件に応じて記録紙Ｐの搬送経路を排紙方向から再給紙路３６に切り換える切換爪３７とを備えたことにより、作像時の設定条件に応じて記録紙に両面に画像を自動的に記録することが可能になり、また排紙トレー３２を選択すれば、頁順を揃えた状態で両面に画像が形成された記録紙Ｐを排紙することができる。
【００３１】
さらに、排紙トレー３２の延長板３２ａ及び給紙トレー２７を装置キャビネット１の水平投影面からほとんど突出しない位置に収納することができ、また排紙トレー３２の延長板３２ａを延長位置に移動し、また給紙トレー２７を開放した場合でも、延長板３２ａ及び給紙トレー２７が装置キャビネット１の同一面から突出するので、排紙トレー３２や給紙トレー２７によって設置スペースが増加することを抑制でき、かつ装置キャビネット１を壁に寄せて設置スペースを効率的に使用することが可能になる。また、開閉カバー６０が給紙トレー２７と同一方向に開閉可能に支持されていることにより、ジャムした記録紙Ｐを除去する場合や消耗部品を交換する場合でも、開閉カバー６０を開放するために必要なスペースを抑制できる。
【００３２】
図４及び図５は、それぞれ本実施例の画像形成装置における読取手段の他の例を示す構成図であり、図１乃至図３に基づいて説明した部材に対応する部材については同一符号を付して説明を省略する。
【００３３】
図４は原稿Ｄを固定して画像を読み取る読取手段の一例を示しており、７１は原稿Ｄが載置されるコンタクトガラス、７２はコンタクトガラス７１上の原稿Ｄに沿って移動しながら原稿Ｄを照明する光源ランプ、７３は光源ランプ７２と共に移動する第１ミラー、７４及び７５は光源ランプ７２の１／２の速度で移動する第２ミラー及び第３ミラー、７６はミラー７３，７４，７５を介して入射する原稿Ｄからの反射光を結像するレンズ、７７は結像レンズ７６によって結像された光を読み取る読取センサ、７８は、原稿Ｄのオートフィーダ８０を内部に収納し、コンタクトガラス７１上で開閉可能に支持された原稿カバー、７９は光学系の制御用電装部である。
【００３４】
オートフィーダ８０において、８１は原稿Ｄが装填される原稿トレー、８２は給紙ローラ、８３は分離ローラ対、８４はローラ及びガイド板によって構成された搬送路、８５はコンタクトガラス７１上に配置された搬送ベルト、８６は排紙ローラ対、８７は排紙トレーである。このオートフィーダ８０は原稿の束を下から給紙するタイプ（最終頁から給紙するタイプ）である。
【００３５】
ここで、本や冊子等の原稿Ｄを読み取る場合には、オートフィーダ８０を使用せず、原稿カバー７８を開放して原稿Ｄの画像面をコンタクトガラス７１に密着させる。読取手段は、光源ランプ７２及びミラー７３，７４，７５を原稿Ｄに沿って副走査方向に移動させ、読取センサ７７によって所定間隔で主走査線上の光を光電変換することにより原稿Ｄの読み取りを行う。
【００３６】
また、シート状の原稿Ｄを読み取るためオートフィーダ８０を使用する場合には、原稿カバー７８を閉じた状態で、原稿Ｄを画像面を上方にし、かつ１頁目が最上位になっている状態で原稿トレー８１に装填する。原稿Ｄは、最下位のものから給紙ローラ８２及び分離ローラ対８３によって分離給紙され搬送路８４に給紙され、搬送路８４によってコンタクトガラス７１と搬送ベルト８５との間に給紙される。搬送ベルト８５は、原稿Ｄをコンタクトガラス７１上で搬送し、所定の位置で一旦停止させる。読取手段は、オートフィーダ８０を使用しない場合と同様に原稿Ｄの読み取りを行う。原稿Ｄは、読取完了後に搬送ベルト８５によって再び搬送され、排紙ローラ対８６によって排紙トレー８７上に排紙される。このとき画像面が下となり、１頁目は最下位になるように積層される。
【００３７】
上記したような読取手段を備えた画像形成装置において、読取手段からの画像情報によって記録紙Ｐに画像を形成する場合、オートフィーダ８０を使用しないときには、記録紙Ｐが排紙トレー３５に排紙されるよう排紙手段を設定し、かつオートフィーダ８０を使用する場合には、記録紙Ｐが排紙トレー３２に排紙されるように排紙手段を設定することにより、記録紙Ｐを頁順に揃えて排紙トレー３２，３５に排紙することができる。
【００３８】
図５は原稿Ｄを固定して画像を読み取るモードと原稿Ｄを移動させながら読み取るモードとが設定可能な読取手段の一例を示しており、９１は原稿Ｄが載置される第１コンタクトガラス、９２は第１コンタクトガラス９１上で開閉可能に支持された原稿カバー、９３は原稿Ｄに沿って移動しながら原稿Ｄを照明する光源ランプ、９４は光源ランプ９３と共に移動する第１ミラー、９５及び９６は光源９３の１／２の速度で移動する第２ミラー及び第３ミラー、９７はミラー９４，９５，９６を介して入射する原稿Ｄからの反射光を結像する結像レンズ、９８は結像レンズ９７によって結像された光を読み取る読取センサ、９９は光学系の制御用電装部である。
【００３９】
また、１００はオートフィーダ、１０１は原稿Ｄが装填される原稿トレー、１０２は原稿トレー１０１上の原稿Ｄを上方に付勢する付勢板、１０３は付勢板１０２によって付勢された原稿Ｄに圧接する給紙ローラ、１０４は分離ローラ対、１０５は読取ローラ、１０６はローラ及びガイド板によって構成された読取ガイド路、１０７は排紙ローラ対、１０８は読取ローラ１０５に対向した第２コンタクトガラスである。
【００４０】
ここで、オートフィーダ１００を使用しない場合には、原稿カバー９２を開放してシート状の原稿Ｄや本，冊子などの綴じられた原稿の画像面を第１コンタクトガラス９１に密着させる。読取手段は、光源ランプ９３及びミラー９４，９５，９６を原稿Ｄに沿って副走査方向に移動させ、読取センサ９８によって所定間隔で主走査線上の反射光を光電変換することにより原稿Ｄの読み取りを行う。
【００４１】
また、オートフィーダ１００を使用する場合には、原稿カバー９２を閉じた状態で、原稿Ｄを画像面を上方にし、かつ上が１頁になっている原稿の束を原稿トレー１０１に装填する。原稿Ｄは、給紙ローラ１０３及び分離ローラ対１０４によって分離給紙され読取ガイド路１０６に給紙される。読取ガイド路１０６は、読取ローラ１０５に巻き付けた状態で原稿Ｄを一定の速度で搬送する。このとき、読取手段は、光源ランプ９３及びミラー９４，９５，９６を実線で示した位置に停止させ、読取センサ９８によって第２コンタクトガラス１０８上を移動する原稿Ｄからの反射光を読み取る。第２コンタクトガラス１０８上を通過した原稿Ｄは、排紙ローラ対１０７によって原稿カバー９２上に原稿面が下となり、１頁目が最下位となって排紙される。
【００４２】
上記したような読取手段を備えた画像形成装置において、読取手段からの画像情報によって記録紙Ｐに画像を形成する場合、記録紙Ｐが排紙トレー３５に排紙されるよう排紙手段を設定することにより、記録紙Ｐを頁順に揃えて排紙トレー３５に排紙することができる。
【００４３】
なお、前述の各実施例は、原稿読取装置がキャビネットの上部にはじめから取り付けられているタイプであったが、ユーザが選択的に着脱できるようにしたタイプの装置にも適用できる。またファクシミリ装置の例については記述していないが、例えば、図１の装置に公知の送受信手段を組み込むことにより、原稿Ｄの画像を遠隔地に送信できるファクシミリ装置となる。その他本実施例に限定されることなく、本技術思想のもとに応用できることは、言うまでもない。
【００４４】
【発明の効果】
以上説明したように、第１，第２開閉部が装置本体の側面側に設けられ、同一方向に上側から開閉可能に支持されていることにより、ジャムした記録紙の除去や消耗部品の交換が容易になる。
【図面の簡単な説明】
【図１】本発明の画像形成装置の一実施例の構成図である。
【図２】本発明の一実施例の画像形成装置の斜視図である。
【図３】本発明の一実施例の画像形成装置における開閉カバーの構成図である。
【図４】本発明の一実施例の画像形成装置における読取手段の他の例を示す構成図である。
【図５】本発明の一実施例の画像形成装置における読取手段の他の例を示す構成図である。
【符号の説明】
１…装置キャビネット、  ２７…給紙トレー、  ３１…第２の排紙路、  ３２，３５…排紙トレー、  ３２ａ…延長板、  ３３，３７…切換爪、  ３４…排紙ローラ、  ３６…再給紙路、  ６０…開閉カバー、  Ｄ…原稿、  Ｐ…記録紙。
【図１】
0003559831.tif 000002
【図２】
0003559831.tif 000003
【図３】
0003559831.tif 000004
【図４】
0003559831.tif 000005
【図５】
0003559831.tif 000006